(57)【要約】【課題】不慮の事故、突然の発病、海外渡航時での事故や発病時において、救急医療機関に搬送された患者の基礎的な医療データを配信できるようにした。【解決手段】患者の医療データに関するカルテ情報をＩＤ番号で管理し格納する個人情報データベースと、薬物に関する薬情報を格納する薬物情報データベースと、医療施設に関する施設情報を格納する医療施設情報データベースと、前記ＩＤ番号の入力に基づいて前記個人情報データベースからカルテ情報を検索するとともに、該カルテ情報中の薬物名に対応する薬情報を前記薬物情報データベースから検索してカルテ配信票を作成するとともに前記カルテ配信票を前記医療施設情報データベースにより患者が搬送された緊急医療施設へ配信する手段を有する医療データ管理システムにおいて、前記個人情報データベースに格納されている医療データを登録を希望する個人についてのものとする。【選択図】図１
2007080289.tif 000002
【特許請求の範囲】
【請求項１】
患者の医療データに関するカルテ情報をＩＤ番号で管理し格納する個人情報データベースと、薬物に関する薬情報を格納する薬物情報データベースと、医療施設に関する施設情報を格納する医療施設情報データベースと、前記ＩＤ番号の入力に基づいて前記個人情報データベースからカルテ情報を検索するとともに、該カルテ情報中の薬物名に対応する薬情報を前記薬物情報データベースから検索してカルテ配信票を作成するとともに前記カルテ配信票を前記医療施設情報データベースにより患者が搬送された緊急医療施設へ配信する手段を有する医療データ管理システムであって、前記個人情報データベースに格納されている医療データが登録を希望する個人についてのものであることを特徴とする医療データ管理システム。
【請求項２】
前記前記医療施設情報データベースにより患者が搬送された緊急医療施設を検索して所望のフォームの緊急施設連絡票を作成するとともに前記ＩＤ番号の入力に基づいて前記個人情報データベースを検索して登録を希望する個人により予め登録してある患者関係者に配信することを特徴とする請求項１に記載の医療データ管理システム。
【発明の詳細な説明】
【技術分野】
【０００１】
本発明は、患者の医療データに関するカルテ情報を管理し、このカルテ情報が救急救命医療の現場で必要な場合に、情報を加工して情報を必要とする医療施設に配信しバックアップするための医療データ管理システムに関する。
【背景技術】
【０００２】
救急医療機関においては、事故発生等による患者搬送の連絡を受けた救急隊から患者を受入れ、患者の障害の度合い等の情報を基礎として医療行為を施す手順となるが、対応する救急医療機関側ではその患者の基礎的な医療データを救急時において通常知ることができない。
【０００３】
例えば、医療機関に通院している患者であっても、救急時に搬送された医療機関が通院している医療機関（患者のカルテ（医療データ）が保存されている医療施設）でない場合も多い。また、救急時の患者に対して、問診を行う時間がない、意識がなく問診を行うことができないこともある。更に、患者の住居がある場所から遠隔地において、事故や急病にあった場合、搬送された医療機関が患者の医療データを持っていることは全く期待できない。
【発明の開示】
【発明が解決しようとする課題】
【０００４】
患者に対して医療行為を施す場合、アレルギー情報、既往症、服用薬等の各種の医療データが重要になる場合がある。例えば、薬に対するアレルギーがある場合や、既に服用している薬がある場合は、アレルギーの発生や投薬に際しての副作用を回避するため、使用できる薬が制限されることがある。また、既往症の存在によっては、適切な医療行為が異なる場合もある。すなわち、個別の患者に対して最良の医療行為を行う場合は、その患者の医療データを知る必要がある。
【０００５】
しかしながら、一般的に救急で搬送された患者に対して、救急の治療時に患者個人の医療データを知ることができない場合が多かった。
【０００６】
本発明は上記実情に鑑みてなされたものであり、不慮の事故、突然の発病、海外渡航時での事故や発病時において、救急医療機関に搬送された患者の基礎的な医療データを配信できるようにした医療データ管理システムを提供することを目的としている。
【課題を解決するための手段】
【０００７】
上記目的を達成するため本発明は、患者の医療データに関するカルテ情報をＩＤ番号で管理し格納する個人情報データベースと、薬物に関する薬情報を格納する薬物情報データベースと、医療施設に関する施設情報を格納する医療施設情報データベースと、前記ＩＤ番号の入力に基づいて前記個人情報データベースからカルテ情報を検索するとともに、該カルテ情報中の薬物名に対応する薬情報を前記薬物情報データベースから検索してカルテ配信票を作成するとともに前記カルテ配信票を前記医療施設情報データベースにより患者が搬送された緊急医療施設へ配信する手段を有する医療データ管理システムであって、前記個人情報データベースに格納されている医療データが登録を希望する個人についてのものであることを特徴とする。
【０００８】
本発明によれば、ＩＤ番号の入力に基づいて個人情報データベースからカルテ情報を検索し、薬物情報データベースから得たカルテ情報中の薬物名に対応する薬情報を付加した情報を所望のフォームで作成した配信票が得られるので、搬送された患者の救急医療を行うに際して十分な医療データとすることができる。
【０００９】
また、本発明において、前記前記医療施設情報データベースにより患者が搬送された緊急医療施設を検索して所望のフォームの緊急施設連絡票を作成するとともに前記ＩＤ番号の入力に基づいて前記個人情報データベースを検索して登録を希望する個人により予め登録してある患者関係者に配信する場合には、出力された所望のフォームには、医療施設の施設情報が付加されているので、搬送された救急医療機関の所在地等の施設情報をＩＤ番号の取得の際に予め登録した緊急連絡先に連絡することができる。
【発明の効果】
【００１０】
本発明によれば、ＩＤ番号の入力のみで登録された個人についての医療情報（カルテ情報）が得られるので、不慮の事故、突然の発病、海外渡航時での事故や発病時において、救急医療機関に搬送された患者（登録者）の基礎的な医療データを容易に配信することができ、救急医療機関での医療行為を行うに際して、有効なデータとして活用することができる。
【発明を実施するための最良の形態】
【００１１】
以下に図面を参照しながら本発明の字津市するための最良の形態を説明する。図１は、医療データ管理システムの構成の概要を示すブロック図である。医療データ管理システム１０は、個人情報データベース１１と、薬物情報データベース１２と、医療情報データベース１３と、各データベースとの間でデータの送受を行う配信票作成処理手段１４と、配信票が作成された場合にその履歴が記録される記録部１５から構成されている。また、この医療データ管理システム１０には端末１６が接続され、医療データ管理システム１０との間でデータの送受が可能となっている。
【００１２】
端末１６は、中央演算装置（ＣＰＵ）とメモリ（ＲＯＭ／ＲＡＭ）を有する本体と、ＣＲＴ等のディスプレイ装置、キーボード等の入力装置、印字装置、マウス、フロッピー（登録商標）ディスクドライブ、ＣＤＲＯＭドライブ、モデムを備えた一般的なコンピュータが使用されている。
【００１３】
個人情報データベース１１は、医療データ管理システムへの登録を希望する個人についての医療データを格納している。この医療データは、ＩＤ番号が付けられた個人毎に、カルテ情報として前記ＩＤ番号で管理している。個人情報データベース１１の各カルテ情報には、「氏名等の本人（登録者）情報」、「緊急連絡先」、「身体データ」、「血液データ」、「身体の特徴」、「健康状態」、「アレルギー情報・過敏症情報」、「主な家族の病歴」、「過去の病歴（既往症）」、「現在服用中の薬」、等の情報が入力されている。
【００１４】
個人情報データベース１１の各カルテ情報には、端末１６からアクセス可能となっており、端末１６のディスプレイ装置に表示された所望の書式に対して、キーボード（入力装置）から文字を入力することで行われる。また、この情報は随時書き換え可能となっており、作成日及び書き換え日のデータも記憶されている。
【００１５】
「登録者情報」には、氏名の他、性別、生年月日、住所、勤務先、連絡先の電話番号、ＦＡＸ番号、メールアドレス等が入力されている。「緊急連絡先」は、登録者が救急医療機関に搬送された連絡先であり、連絡先の優先順位を決めるとともに各連絡先について、登録者との関係、電話番号、ＦＡＸ番号、住所等が入力されている。「身体データ」は、登録者の身長、体重、血液型、視力、コンタクトレンズの使用の有無、目の色、髪の色等が入力されている。「血液データ」は、血圧、血糖値、中性脂肪のデータが入力されている。
【００１６】
「身体の特徴」では、本人確認のための項目であり、ホクロの部位、傷跡の部位等が入力されている。「健康状態」では、登録者が気付いた症状（例えば、肩こり、不眠症）を入力するようになっている。「アレルギー情報・過敏症情報」では、アレルギー・過敏症の有無と、具体的な症状を入力するようになっている。
【００１７】
「主な家族の病歴」では、祖父母、両親、兄弟の過去及び現在の病歴を入力するようになっている。「過去の病歴（既往症）」では、過去の病歴の有無と、病歴がある場合には、それぞれの病名、病院名、手術の有無、入院の有無、通院の有無、入院及び通院期間を入力するようになっている。「現在服用中の薬」では、現在服用中の薬の有無、服用中の薬がある場合には、それぞれの病名、薬名、服用開始年月日、服用中止年月日を入力するようになっている。
【００１８】
薬物情報データベース１２は、薬物に関する薬情報を格納するものであり、薬物名、各薬物に対して薬物メーカーによる禁忌・使用上の注意等の情報が記憶されている。
【００１９】
医療情報データベース１３は、医療施設に関する施設情報を格納するものであり、救急の医療機関名、住所、電話番号、行き方、周辺地図等の情報が記憶されている。
【００２０】
配信票作成処理手段１４は、個人情報データベース１１、薬物情報データベース１２、医療情報データベース１３に格納されている各情報から、所望のフォームで配信票を作成するものである。配信票の作成は、端末１６に所望の手順で登録者のＩＤ番号を入力することにより、配信票作成処理手段１４に格納されている配信票作成処理のプログラムを実行することにより行われる。
【００２１】
すなわち、配信票作成に際して、端末１６のディスプレイ装置では、ＩＤ番号及び医療施設名が入力できる画面が表示されている。そして、配信票作成処理手段１４では、端末１６からのＩＤ番号の入力に基づいて、個人情報データベース１１から前記ＩＤ番号に対応するカルテ情報を検索する。そして、このカルテ情報中の「現在服用中の薬」の項に服用中の薬物名が存在する場合には、この薬物名に対応する薬情報を薬物情報データベース１２から検索し、配信票に対して張り付け処理を行う。その一方、前記した医療施設名の入力に基づいて、この医療施設の施設情報を医療施設情報データベース１３から検索し、配信票に対して張り付け処理を行う。
【００２２】
これら検索された各情報の端末１６での画面表示は、図２及び図３に示すような所望の書式の配信票で作成される。この配信票は、病院名、作成日、ＩＤ番号、登録者情報が表示されたカルテ配信票フロントページ２０と、２ページ以降に「身体データ」、「血液データ」、「身体の特徴」、「健康状態」、「アレルギー情報・過敏症情報」、「主な家族の病歴」、「過去の病歴（既往症）」、「現在服用中の薬」がそれぞれ表示されたカルテ配信票（図示せず）と、「病院名」、「住所」、「地図」が表示された救急施設連絡票３０から構成されている。
【００２３】
カルテ配信票における「身体データ」、「血液データ」、「身体の特徴」、「健康状態」、「アレルギー情報・過敏症情報」、「主な家族の病歴」、「過去の病歴（既往症）」は、個人情報データベース１１のカルテ情報と同一の内容が情報として表示される。カルテ配信票の「現在服用中の薬」には、個人情報データベース１１での「現在服用中の薬」の情報に加えて薬物情報データベース１２から検索された「禁忌・使用上の注意」の情報が付加される。
【００２４】
また、カルテ配信票フロントページ２０の下方のデータ一覧枠２２には、「身体データ」、「血液データ」、「身体の特徴」、「健康状態」、「アレルギー情報・過敏症情報」、「過去の病歴（既往症）」、「現在服用中の薬」、「主な家族の病歴」の見出しが表示され、各見出しをクリックすることで直接各データを表示されることが可能となっている。
【００２５】
カルテ配信票フロントページ２０には、その上方位置に送信窓２１が表示され、この送信窓２１をクリックすることで、予め登録してある救急医療施設のメールアドレスへインターネットを介してカルテ配信票（カルテ配信票フロントページ２０及びそれに続くカルテ配信票）が送信できるようになっている。同様に、救急施設連絡票３０には、その上方位置に送信窓３１が表示され、この送信窓３１をクリックすることで、予め登録してあるメールアドレスがある各連絡先へインターネットを介して救急施設連絡票３０（及びカルテ配信票）が送信できるようになっている。救急医療施設や各連絡先が登録してあるメールアドレスがない場合には、配信票及び救急施設連絡票を印字した後にファクシミリで送信すればよい。
【００２６】
続いて、医療データ管理システムを使用した配信票の作成処理手順について、図４のフローチャートを参照しながら説明する。先ず、端末１６のキーボードからＩＤ番号と医療施設名をディスプレイ装置に表示された画面の所定の入力窓に入力する（ステップ４１）。
【００２７】
入力されたＩＤ番号に対応するカルテ情報を個人情報データベース１１から検索し、一次的に記憶する（ステップ４２）。
【００２８】
前記検索が終了後、検索されたカルテ情報中の「現在服用中の薬」の項に服用中の薬物名が存在するか否かを判断し（ステップ４３）、薬物名が存在する場合には、この薬物名に対応する薬情報を薬物情報データベース１２から検索し（ステップ４４）、一次的に記憶する。
【００２９】
ステップ４３で薬物名が存在しない場合、又は、ステップ３４で薬情報について薬物情報データベース１２からの検索が終了後、端末１６で入力された医療施設名からの入力に基づいて、この医療施設の施設情報を医療施設情報データベース１３から検索し、一次的に記憶する（ステップ４５）。
【００３０】
続いて、一次的に記憶された各検索情報について、所望のフォームで情報が表示されたカルテ配信票及び救急施設連絡票から成る配信票を作成する（ステップ４６）。
【００３１】
上述の医療データ管理システムによれば、ＩＤ番号の入力のみで登録された個人についての医療情報（カルテ情報）を配信票として得られるので、不慮の事故、突然の発病、海外渡航時での事故や発病時において、救急医療機関に搬送された患者（登録者）の基礎的な医療データを容易に当該救急医療機関へ配信することが可能となる。
【００３２】
また、配信票のカルテ配信票における「現在服用中の薬」の項に服用中の薬物名が存在する場合には、この薬物名に対応する「禁忌・使用上の注意」が薬情報として表示されるので、救急医療機関で医療行為を行う際に適切な情報を与えることができる。
【００３３】
配信票の救急施設連絡票３０には、救急医療機関の病院名や行き方や地図が表示されるので、予め登録されている患者関係者に患者の搬送場所である救急医療機関の情報を容易に連絡することができる。
【図面の簡単な説明】
【００３４】
【図１】本発明の医療データ管理システムのブロック図である。
【図２】医療データ管理システムに接続した端末に表示されるカルテ配信票フロントページの画面である。
【図３】医療データ管理システムに接続した端末に表示される救急施設連絡票の画面である。
【図４】医療データ管理システムにおける配信票作成処理の手順を説明のためのフローチャートである。
【符号の説明】
【００３５】
１０  医療データ管理システム、 １１  個人情報データベース、１２  薬物情報データベース、 １３  医療施設情報データベース、１４  配信票作成処理手段、 １５  記録部、１６  端末（コンピュータ）、２０  カルテ配信票のフロントページ、 ２１  送信窓、２２  データ一覧枠、３０  救急施設連絡票、 ３１  送信窓
【図１】
2007080289.tif 000003
【図２】
2007080289.tif 000004
【図３】
2007080289.tif 000005
【図４】
2007080289.tif 000006